(57)【要約】【課題】複数の受光部を備えた表示装置を設置するときに、最適な設置状態で容易に設置を行うことができるようする。【解決手段】表示装置は、リモコンから送信されたリモコン信号を受信する複数の受光部２０ａ〜２０ｄと、これら受光部から出力された出力信号をデコードし、そのデコード結果に従って表示装置の動作を制御するＣＰＵ（制御部）１０とを備えている。ＣＰＵ１０は、受光部が２０ａ〜２０ｄがリモコン信号を受信していない状態で、受光部２０ａ〜２０ｄから出力される出力信号に対するノイズの混入を検出し、検出した結果に基づいて受光部２０ａから２０ｄのノイズによる受信状態を判別する。そして判別した結果を表示装置の表示画面に表示させる。【選択図】図１
2010021616.tif 000002
【特許請求の範囲】
【請求項１】
画像を表示する表示手段を備えた表示装置であって、
リモコンから送信されたリモコン信号を受信する複数の受光部と、該複数の受光部から出力された出力信号をデコードし、該デコードした結果に従って前記表示装置の動作を制御する制御部とを備え、
該制御部は、前記複数の受光部が前記リモコン信号を受信していない状態で、前記複数の受光部から出力される出力信号に対するノイズの混入を検出し、該検出した結果に基づいて各前記受光部の受信状態を判別し、該判別した結果を前記表示手段に表示させる制御を行うことを特徴とする表示装置。
【請求項２】
請求項１に記載の表示装置において、前記制御部は、前記受信状態を判別する際に、前記各受光部からの出力信号におけるノイズより生じるパルスをカウントし、単位時間当たりの前記カウントしたパルス数が所定値以下であれば、前記受信状態は良好であるものと判別し、前記カウントしたパルス数が前記所定値より大きければ、前記受信状態が不良であるものと判別し、
前記判別した結果として、前記良好または不良を示す表示を前記表示手段に表示させる制御を行うことを特徴とする表示装置。
【請求項３】
請求項１に記載の表示装置において、前記制御部は、前記受信状態を判別する際に、前記各受光部からの出力信号を波形整形し、ノイズによる出力信号の立ち下がりを検出して、所定時間の間、信号レベルを所定の閾値に基づくＬｏｗレベルに維持する制御を行い、
前記波形整形した信号が該所定の閾値に基づくＨｉｇｈレベルであるときには、前記受信状態は良好であると判別し、前記Ｌｏｗレベルであるときには、前記受信状態は不良であるものと判別し、
前記判別した結果として、前記良好または不良を示す表示を前記表示手段に表示させる制御を行うことを特徴とする表示装置。
【請求項４】
請求項１〜３のいずれか１に記載の表示装置において、前記受信状態の判別結果を前記各受光部ごとに蓄積する記憶手段を有し、
前記制御部は、前記記憶手段に記憶した受信状態の蓄積情報に基づいて、各受光部ごとに前記受信状態に関する優先順位を設定し、
かつ前記制御部は、前記受光部がリモコン信号を受信したときに、該受信したリモコン信号のデコードが正確に行われたか否かを判定し、該判定した結果から、前記受光部ごとにデコードの正確性に関する優先順位を設定し、
前記受信状態の優先順位と、前記デコードの正確性に関する優先順位とに基づいて、前記複数の受光部のなかから、前記表示装置の動作の制御に使用する受光部を選択することを特徴とする表示装置。
【請求項５】
請求項４に記載の表示装置において、前記デコードが正確に行われたか否かは、受信したリモコン信号を波形整形し、該波形整形して得られたパルス信号のパルス幅、パルス数、及びスタートビットの幅のいずれかまたは複数によって判定することを特徴とする表示装置。
【請求項６】
請求項４または５に記載の表示装置において、前記制御部は、各前記受光部の受信状態を判別した際に、前記複数の受光部のうち、前記受信状態が良好にならない受光部があるものと判別した場合には、前記良好にならない受光部を、前記表示装置の動作の制御に使用する受光部の選択対象から外すことを特徴とする表示装置。
【請求項７】
請求項４〜６のいずれか１に記載の表示装置において、
前記制御部は、前記記憶手段に記憶した受信状態の蓄積情報を監視し、各前記受光部の受信状態の判別結果が、所定条件に従って悪化したか否かを判定し、前記受信状態が悪化したものと判定したときには、所定の警告情報を前記表示手段に表示させる制御を行うことを特徴とする表示装置。
【発明の詳細な説明】
【技術分野】
【０００１】
本発明は、表示装置に関し、より詳細には、リモコンから送信されたリモコンコード信号を受信してデコードし、該デコード結果に従って制御が行われる表示装置に関する。
【背景技術】
【０００２】
液晶テレビなどの表示装置では、一般に、表示装置を操作するためにリモコン（リモートコントローラ）を用いることができるようになっている。このため、表示装置では、付属のリモコンから赤外光により送信されるリモコン信号を受信する受光部と、その受光部で受信したリモコン信号をデコードし、そのコードを解析して命令を実行するＣＰＵ（Central Processing Unit）などの制御部とが備えられている。
【０００３】
近年、表示画面の大型化に伴って、例えば液晶テレビなどでは、複数の受光部（マルチ受光部）を設けて、受光範囲を広げるようにした構成が採用されている。しかしながら、液晶テレビの画面はさらに大型化し、１０８型などの大画面のタイプも登場して、その設置場所によっては蛍光灯などによるリモコン信号の妨害を受けやすくなる場合がある。
【０００４】
上記のようなリモコン信号の受光部を複数設けた構成に関し、例えば、特許文献１には、複数の受光部に対して１個のデコーダでリモコン信号のデコードを行うことができるようにしたリモコン装置が開示されている。ここでは、複数の受光部からの出力信号を切替え、特定のパターンを含むか否かを検出する信号検出回路を設け、出力信号が特定パターンを含むことを検出したとき、その受光部を採用し、デコードするようにしている。
【０００５】
また、特許文献２には、複数のリモコン受光部からの出力信号を各々のデコーダでデコードし、デコードした結果が正しいかどうかによって有効か無効かを判定し、有効なデコード経路を採用するようにしたリモコン信号受信装置が開示されている。
【特許文献１】特開平６−１０５３８２号公報
【特許文献２】特開２００１−１７７８７９号公報
【発明の開示】
【発明が解決しようとする課題】
【０００６】
例えば、複数の受光部を有する大画面の表示装置を部屋などに設置するときの状況を考える。この場合、表示装置では、複数の受光部のうち、どの受光部の受信状態が良好で、どの受光部の受信状態が悪いのかを、リモコン信号を受信しながら判定することは困難である。
液晶テレビなどの表示装置の通常の動作状態では、リモコンからの信号を複数の受光部で受信し、それぞれの受信信号を複数のデコーダでそれぞれデコードし、有効か無効かをＣＰＵで判定して、どの受光部からのデコード信号を採用するかを選択している。しかしながら、表示装置を設置するときに、どの受光部の出力信号が有効か無効かをリアルタイムで判定するには、リモコンから常にリモコン信号を送信させる必要があり、設置時にどの受光部の受信状態が良く、どの受光部の受信状態が悪いのかを判定しようとするのは非常に困難であるといえる。
【０００７】
特許文献１では、複数の受光部の出力をデコードし、デコードが正しく行われる受光部を選択するものである。また特許文献２においても、複数の受光部の出力をデコードするときに、デコードが正しく行われる受光部とデコーダ経路を選択するようにしている。
しかしこれらのリモコン装置もしくはリモコン信号受信装置は、当該装置を設置した後で、最も適切な受光部を選択するものであり、当該装置をどのように設置するのがよいのか、という観点からすると有効ではない。またここでは、最終的には有効な受光部が選択されることになるが、装置自体の設置状態が悪い場合には、ノイズにより無効な受光部が常に選択される可能性もある。
【０００８】
本発明は、上述のごとき実情に鑑みてなされたものであり、複数の受光部を備えた表示装置を設置するときに、各受光部の受信状態をリアルタイムで判別して画面上に表示することにより、最適な設置状態で容易に設置を行うことができるようにした表示装置を提供することを目的とするものである。
【課題を解決するための手段】
【０００９】
上記課題を解決するために、本発明の第１の技術手段は、画像を表示する表示手段を備えた表示装置であって、リモコンから送信されたリモコン信号を受信する複数の受光部と、複数の受光部から出力された出力信号をデコードし、デコードした結果に従って表示装置の動作を制御する制御部とを備え、制御部は、複数の受光部がリモコン信号を受信していない状態で、複数の受光部から出力される出力信号に対するノイズの混入を検出し、検出した結果に基づいて各受光部の受信状態を判別し、判別した結果を表示手段に表示させる制御を行うことを特徴としたものである。
【００１０】
第２の技術手段は、第１の技術手段において、制御部が、受信状態を判別する際に、各受光部からの出力信号におけるノイズより生じるパルスをカウントし、単位時間当たりのカウントしたパルス数が所定値以下であれば、受信状態は良好であるものと判別し、カウントしたパルス数が所定値より大きければ、受信状態が不良であるものと判別し、判別した結果として、良好または不良を示す表示を表示手段に表示させる制御を行うことを特徴としたものである。
【００１１】
第３の技術手段は、第１の技術手段において、制御部が、受信状態を判別する際に、各受光部からの出力信号を波形整形し、ノイズによる出力信号の立ち下がりを検出して、所定時間の間、信号レベルを所定の閾値に基づくＬｏｗレベルに維持する制御を行い、波形整形した信号が所定の閾値に基づくＨｉｇｈレベルであるときには、受信状態は良好であると判別し、Ｌｏｗレベルであるときには、受信状態は不良であるものと判別し、判別した結果として、良好または不良を示す表示を表示手段に表示させる制御を行うことを特徴としたものである。
【００１２】
第４の技術手段は、第１〜３のいずれかの技術手段において、受信状態の判別結果を各受光部ごとに蓄積する記憶手段を有し、制御部が、記憶手段に記憶した受信状態の蓄積情報に基づいて、各受光部ごとに受信状態に関する優先順位を設定し、かつ制御部は、受光部がリモコン信号を受信したときに、受信したリモコン信号のデコードが正確に行われたか否かを判定し、判定した結果から、受光部ごとにデコードの正確性に関する優先順位を設定し、受信状態の優先順位と、デコードの正確性に関する優先順位とに基づいて、複数の受光部のなかから、表示装置の動作の制御に使用する受光部を選択することを特徴としたものである。
【００１３】
第５の技術手段は、第４の技術手段において、デコードが正確に行われたか否かは、受信したリモコン信号を波形整形し、波形整形して得られたパルス信号のパルス幅、パルス数、及びスタートビットの幅のいずれかまたは複数によって判定することを特徴としたものである。
【００１４】
第６の技術手段は、第４または５の技術手段において、制御部が、各受光部の受信状態を判別した際に、複数の受光部のうち、受信状態が良好にならない受光部があるものと判別した場合には、良好にならない受光部を、表示装置の動作の制御に使用する受光部の選択対象から外すことを特徴としたものである。
【００１５】
第７の技術手段は、第４〜６のいずれかの技術手段において、制御部が、記憶手段に記憶した受信状態の蓄積情報を監視し、各受光部の受信状態の判別結果が、所定条件に従って悪化したか否かを判定し、受信状態が悪化したものと判定したときには、所定の警告情報を表示手段に表示させる制御を行うことを特徴としたものである。
【発明の効果】
【００１６】
本発明によれば、複数の受光部を備えた表示装置を設置するときに、各受光部の受信状態をリアルタイムで判別して画面上に表示することにより、最適な設置状態で容易に設置を行うことができるようにした表示装置を提供することができる。
特に本発明によれば、表示装置の設置時に、複数のリモコン信号の受光部のうち、どの受光部がノイズによる妨害を受けているかどうかをリアルタイムで画面上に表示することで、最適な条件を容易に見出せるようにすることが可能になる。
【００１７】
また、本発明によれば、表示装置の設置が完了した状態で受信状態を定量化することにより、各受光部を選択するための優先順位を付けることが可能になる。また、表示装置をどのように設置しても受信状態が良くならない場合、受信状態が改善しない受光部からの読み込みを停止し、受光部の選択対象から外すことで、実際の使用時に、受信状態が改善しない受光部を除外することができ、余計な判定処理を行う必要がなくなる。
【００１８】
さらに本発明によれば、受信したリモコン信号のデコードの正確性に加えて、各受光部の受信状態の判別結果をメモリした蓄積情報を加味して受光部の選択を行うことができるようになる。そして、表示装置では、受信状態の蓄積情報を監視して、受信状態の判別結果が所定の条件で悪化していると判別した場合には警告表示を行うことにより、設置条件の異変等の可能性を知らせることができる。これにより、ユーザはリモコン操作における障害の状況を把握しやすくなるため、対策が取りやすくなる、という効果が得られる。
【発明を実施するための最良の形態】
【００１９】
本発明に係る表示装置の実施形態は、例えば大画面のテレビとして構成できる。このような表示装置は、当該表示装置を操作するためのリモコン（リモートコントローラ）が付属し、リモコンから送信されるリモコン信号を受信する複数の受光部が備えられ、これら受光部で受信したリモコン信号をＣＰＵ（Central Processing Unit）でデコードする。このときに、いずれかの受光部を選択し、選択した受光部からの出力信号をデコードしたデコード信号に従って表示装置の動作を制御する処理を実行できるようにしている。
【００２０】
本発明に係る実施形態では、表示装置を部屋などに設置する際に、表示装置は、その複数の受光部に対して蛍光灯などの外来ノイズが侵入しているかどうかを監視し、画面上に表示させる。ここでは表示装置は、リモコンからリモコン信号が送信されていない待ち受けの状態で、受光部の出力をＣＰＵによりリアルタイムで監視し、その状態をＬＣＤ（Liquid Crystal Display）等の表示手段の画面上に表示させる。これによって、表示装置を設置しようとするユーザは、受光部の受信状態をモニターしながら表示装置の設置を行うことができ、表示装置の最適な設置場所や設置条件を容易に選択することができる。
【００２１】
この場合、表示装置では、リモコンからの信号を受信しない状態で受光部の出力を監視するため、蛍光灯などに起因するノイズが入らない状態では、受光部の出力信号にパルスは入らない。そして、表示装置では、ノイズによる妨害を受けたときにパルスが混入するので、このパルス数をカウントして受信状態を判別するか、またはパルスが入ったときに時定数をもたせて、その信号のＬｏｗ／Ｈｉｇｈに基づいて受信状態を判別する。そして判別した受信状態を示す表示を行うことにより、ユーザが受光部に対するノイズの混入状況を随時把握できるようにする。
【００２２】
また、表示装置をどのように設置してもノイズの混入が避けられない場合には、対象となる受光部を無効にし、受光部選択の処理対象を減らすことも可能である。さらには、表示装置の通常の使用時には、その電源起動の際に受信状態を示す情報をメモリに蓄積して比較できるようにすることで、設置後の受信状態が極端に悪化した際にユーザへの警告を行うようにすることができる。さらには、受光部を選択する際に受信状態のデータにも重み付けを持たせて受光部の選択を行うことができる。
以下に、添付された図面を参照しながら、本発明による表示装置の実施形態を更に具体的に説明する。
【００２３】
図１は、本発明による表示装置の一実施形態を説明するためのブロック図で、リモコン信号の受信部を含む要部の構成例を示すものである。
この例では、表示装置は、リモコンから送信された赤外光によるリモコン信号を受信するための４つの受光部（第１受光部２０ａ〜第４受光部２０ｄ）と、各受光部２０ａ〜２０ｄからの出力信号を入力するＣＰＵ１０とを備えている。ＣＰＵ１０は、本発明の制御部に相当するもので、４つの受光部２０ａ〜２０ｄからの出力信号をそれぞれデコードする４つのデコーダ（第１デコーダ１１ａ〜第４デコーダ１１ｄ）と、これらデコーダ１１ａ〜１１ｄからの出力を選択するデコーダ選択部１２とを有している。ＣＰＵ１０は、デコーダ選択部１２で選択されたデコーダの出力信号を使用して、表示装置の制御を行う。
なお、本発明に係る実施形態では、複数の受光部を備えたものに適用でき、４つの受光部の構成に限定されるものではない。
【００２４】
図１の表示装置は、通常の動作状態においては、リモコンから送信された信号を第１〜第４受光部２０ａ〜２０ｄで受信し、それぞれの受信信号を第１〜第４デコーダ１１ａ〜１１ｄでデコードする。そしてＣＰＵ１０では、各デコーダ１１ａ〜１１ｄでデコードされた信号が正確にデコードされたか否か判定し、どの受光部のデコード信号を採用するかを選択する。
【００２５】
通常の動作状態において、デコードされた信号が正確にデコードされた否かを判定する処理の一例として、例えば、受光部で受信したリモコン信号を波形整形し、その波形整形が成功したか否かを判定することによって有効か無効か判定することができる。この場合、例えば、リモコン信号を波形整形して得られたパルス信号のパルス幅やビット数（パルス数）、もしくはコードによってはスタートビットの幅等を確認し、波形整形が成功してデコードが正確に行われたか否かを判定できる。
【００２６】
このように、表示装置の通常動作状態では、リモコンコード信号のデコードの正確性を判定してデコード信号を選択する動作を行うことができるが、上述したように、表示装置を設置するときには、どの受光部が無効なのかをリアルタイムで判定するためには、リモコンから常にリモコン信号を送信する必要があるなど厄介である。
本実施形態では、例えば、表示装置を設置モードにて設置する際に、ＣＰＵ１０は、リモコン信号の受光部２０ａ〜２０ｄに対して蛍光灯などの外来ノイズが侵入しているかどうかを監視する。設置モードは、表示装置に備えられる動作モードの一例であり、リモコン信号を受信しない状態で受光部２０ａ〜２０ｄの受信状態を表示画面に表示させる動作を行うモードである。この設置モードは、所定のメニュー操作やキー操作などによってユーザによる選択設定が可能である。
【００２７】
すなわち設置モード時には、ＣＰＵ１０は、リモコンからリモコン信号が送信されないスタンバイの状態で受光部２０ａ〜２０ｄの出力をリアルタイムで監視し、その状態を表示装置の表示画面に表示させる。これによって、ユーザは、受信状態をモニターしながら表示装置を設置することが可能になり、最適な設置場所及び設置条件を選択することができる。
【００２８】
さらにＣＰＵ１０は、表示装置の通常の使用時に、その電源起動の際に受信状態を示す情報をメモリに蓄積することにより、設置後の受信状態が極端に悪化した際のユーザへの警告表示を行う制御を行ったり、受光部選択の際に設置モードで得た受信状態のデータも重み付けを持たせて選択処理を行うことができる。
【００２９】
次に、本発明による表示装置の実施形態における受信状態の判断処理の例を説明する。各受光部２０ａ〜２０ｄの受信状態を判断する処理として、ここでは、各受光部２０ａ〜２０ｄからの出力信号のパルス数をカウントしてそのパルス数に基づいて受信状態を判断する処理、及び各受光部２０ａ〜２０ｄからの出力信号を波形整形し、得られた信号のＨｉｇｈとＬｏｗの状態に基づいて受信状態を判定する処理を適用することができる。以下にこれらの処理例を説明する。
【００３０】
（パルス数をカウントする場合の例）
表示装置のＣＰＵ１０では、リモコンからリモコン信号が送信されないスタンバイ状態で、受光部２０ａ〜２０ｄから出力された出力信号を監視し、単位時間あたりの妨害パルス数をカウントする。このカウントは、それぞれの受光部２０ａ〜２０ｄから出力された出力信号ごとに行われ、それぞれの受信状態が判定される。
例えば、ＣＰＵ１０は、それぞれの受光部２０ａ〜２０ｄからの出力信号に対して、単位時間当たりの妨害パルス数がｎ回以下であれば、その判定を“ＯＫ”（良好）とし、ｎ回以上であれば“ＮＧ”（不良）として判断する。上記のｎ及び単位時間は、予め定められた数値である。そして、ＣＰＵ１０は、判定結果に従って、各受光部２０ａ〜２０ごとに、ＯＫまたはＮＧが認識できる表示を行わせる。表示画面に対する判定結果の表示は、ＯＳＤ（On Screen Display）によって表示させることができる
【００３１】
（波形整形により、Ｌｏｗ／Ｈｉｇｈの判定を行う場合の例）
上記のパルス数をカウントする例に替えて、波形整形により信号レベルのＬｏｗ／Ｈｉｇｈの判定を行って、受信状態を判定するようにすることもできる。この場合は、上記のパルス数をカウントする例に比べて、ＮＧの場合に、波形整形に基づく一定の時間ＮＧである旨が表示されるので、ユーザが感覚的に把握し易いものとなる。
【００３２】
図２は、受信部からの出力信号の波形例と、波形整形による受信状態の判定処理とを説明するための図である。ここでは、各受光部２０ａ〜２０ｄからの出力信号を波形整形部（図１では図示せず）に入力させ、この波形整形部にて、それぞれの出力信号を波形整形する。波形整形部では、例えば、出力信号の立ち下がりを検出し、所定時間（例えば２秒間）の間信号レベルをＬｏｗに落とすように波形整形を行うようにすることができる。
【００３３】
図２（Ａ）は、ノイズによる妨害がない場合の受光部の出力信号の波形である。ここでは、ノイズの妨害を受けないため信号レベルがＬｏｗに落ちることはなく、常にＨｉｇｈの状態を保つ。そして波形整形部によって波形整形を行った状態でも、立ち下がりはないのでＨｉｇｈの状態が保たれる。なお信号レベルのＬｏｗとＨｉｇｈは、電圧レベルにより表されるが、電流を用いたロジックを適用したものであってもよい。いずれにしてもＨｉｇｈとＬｏｗは所定の閾値に従って判別される。
【００３４】
図２（Ｂ）は、ノイズによる妨害を受けた場合の受光部の出力信号の波形の一例である。ノイズによる妨害を受けた場合には、出力信号の波形はＬｏｗに落ちる。この場合、波形整形部によって波形整形が行われると、図２（Ｃ）に示すように、ＨｉｇｈとＬｏｗとを繰り返す波形となる。波形整形部における処理例としては、例えば、信号の立ち下がりからカウンタを用いて所定時間（例えば２秒間）Ｌｏｗに落とす処理を行う。もしくは、単安定マルチバイブレータを使用して、立ち下がりトリガ端子で立ち下がりを検出し、所定時間（例えば２秒間）の時定数を持たせる処理を行う。
【００３５】
そして、波形整形部により得られた図２（Ｃ）のような信号をＣＰＵ１０で監視し、信号がＨｉｇｈであれば妨害を受けていない受信状態、Ｌｏｗであれば妨害を受けている受信状態であるものと判定して、その判定結果を表示画面に表示させる。表示画面に対する判定結果の表示は、ＯＳＤによって表示させることができる。ここでは、例えば波形整形の結果がＬｏｗである期間、表示画面に妨害を受けている受信状態であることを表示させることができる。
【００３６】
（通常使用時における動作）
次に、本発明による表示装置の一実施形態における通常使用時の動作例について説明する。表示装置のＣＰＵ１０は、通常使用時において、表示装置の電源立ち上げ時に各受光部２０ａ〜２０ｄの受信状態をメモリに蓄積する。この蓄積情報を用いてデコード経路の重み付けを付与する。つまり従来用いられていたデコードの正確性に係わる情報に加えて、受信状態の蓄積情報を加味することにより、最適な受光部を選択させることができる。
【００３７】
図３は、受光部の選択処理に適用する優先順位の設定例を説明するための図である。
表示装置のＣＰＵ１０は、各受光部からの出力信号のデコード結果について、デコードの正確性と受信状態とをそれぞれ判断して評価する。
デコードの正確性は、例えば受信したリモコン信号を正しくデコードできている確率によって判断する。リモコン信号が正しくデコードができているか否かの判定は、例えば上述のように波形整形後のパルス信号のパルス幅やビット数（パルス数）、もしくはコードによってはスタートビットの幅等、のいずれかまたは複数を確認することによって判定することができる。
【００３８】
図３の例では、デコードの正確性について、三段階の評価を行って“×”または“△”または“○”のいずれかを判定している。この判定は、予め定めたデコード確率の閾値に基づいて判定することができる。ここでは、デコードの正確性に関し、３段階の順序に応じて受光部選択の優先順位が決定されることになる。つまり“○”評価の第２受光部、第３受光部、及び第４受光部が同等に優先順位が高く、“×”評価の第１受光部の優先順位が低いことになる。ここでは３段階に限らず、さらに細かい評価を行って優先順位を定めるようにしてもよく、あるいはデコードの正確性が高い順に、順番に優先順位を定めるようにしてもよい。
このように、各受光部からの出力信号について、正しくデコードできる確率を算出することで、デコードの正確性を定量化することができ、この定量化情報に基づいて、各受光部の優先順位を決めることができる。
【００３９】
また、受信状態については、例えば受信状態の蓄積情報により判断する。受信状態は、上記のように、リモコン信号を受信しない状態で、受光部の出力信号のパルス数をカウントしたり、波形整形を行ってそのＬｏｗ／Ｈｉｇｈを判別したりすることによって検出することができる。そして上記のように各受光部の受信状態を蓄積した蓄積情報から、受信状態の優先順位を判断する。
【００４０】
図３の例では、デコードの正確性と同様に受信状態について、三段階の評価を行って“×”または“△”または“○”のいずれかを判定している。ここでは、受信状態の蓄積情報の優先順位を所定の閾値に基づいて判定することができる。ここでは、受信状態に関し、３段階の順序に応じて受光部選択の優先順位が決定されることになる。つまり“○”評価の第４受光部の優先順位が最も高く、“△”評価の第２受光部及び第３受光部の優先順位が次いで高く、“×”評価の第１受光部の優先順位が最も低いことになる。ここでは３段階に限らず、さらに細かい評価を行って優先順位を定めるようにしてもよく、あるいは受信状態が良好な順に優先順位を定めるようにしてもよい。
このように、各受光部からの出力信号について、パルス数のカウント結果または波形整形結果に基づいて受信状態を算出することで、受信状態を定量化することができ、この定量化情報に基づいて、各受光部の優先順位を決めることができる。
【００４１】
そして、図３の例では、ＣＰＵ１０では、受信したリモコン信号のデコードの正確性に関する優先順位と、受信状態に関する優先順位とから、第４受光部を選択し、第４受光部から出力された信号を使用して表示装置の動作に関する制御を行うようにする。
また、表示装置のＣＰＵ１０では、各受光部ごとの受信状態が、以前の受信状態の傾向と比べて著しく悪化している場合には、ユーザに対して警告を行うようにすることができる。また、デコードの正確性の結果を蓄積して、デコードの正確性が著しく悪化した場合に警告表示を行わせるようにしてもよい。著しく悪化したか否かは、所定の条件に基づいて判断する。これら警告は、例えば、所定の警告表示画面をＯＳＤにより表示させることができる。
【００４２】
図４は、４個の受光部（第１〜第４受光部）を有する表示装置の画面表示例を示す図で、テレビとして構成された実施形態を示すものである。図４において、１は表示装置、３０は表示装置の表示画面、３１ａ〜３１ｄは表示画面に表示される各受光部の受信状態の判定結果表示、３２は表示装置の筐体である。
【００４３】
本実施形態では、上述のように、リモコンからリモコン信号が送信されていない状態（スタンバイ状態）で、受光部２０ａ〜２０ｄの出力信号から検出される不規則なパルスによってリモコン信号の受信状態の判定を行い、表示するようにしている。つまり、表示装置１が設置モードにあるときに行い、各受光部２０ａ〜２０ｄがノイズを拾っているかどうかを表示画面３０によりリアルタイムでモニターできるようにしている。これによって、表示装置１を設置する際に、ユーザは、表示装置１の表示画面３０をモニターしながら、妨害を受けにくい設置場所を容易に探すことができる。
【００４４】
すなわち図４に示すように、本実施形態の表示装置１は、４つの受光部２０ａ〜２０ｄを備えていて、これらの各受光部２０ａ〜２０ｄが、矩形の表示画面３０の４角の外側に配置されている。そして、表示画面３０の４角内側近傍には、それぞれの受光部２０ａ〜２０ｄの受信状態を表示する判定結果表示３１ａ〜３１ｄを表示させることができる。
ここでは、上記のように、リモコン信号を送信しない状態におけるパルス数のカウント結果、もしくは整形波形によるＬｏｗ／Ｈｉｇｈの判定結果に基づいて、その受信状態の判定結果を表示させる。波形整形による判定時には、Ｈｉｇｈであるときには“ＯＫ”を表示し、Ｌｏｗであるときには“ＮＧ”を表示させることができる。
【００４５】
この例では第１受光部２０ａを“受光部Ａ”として表示し、その判定結果として“ＮＧ”を表示している。第２〜第４受光部２０ｂ〜２０ｄについても、同様に“受光部Ｂ”、“受光部Ｃ”、“受光部Ｄ”として表示し、その判定結果をそれぞれ“ＯＫ”、“ＯＫ”、“ＯＫ”として表示している。これによりユーザは、受光部Ａ（第１受光部２０ａ）以外の受光部では、妨害がなく良好な受信状態であることが一目で視認できる。
【００４６】
表示画面３０には、上記のような受光部２０ａ〜２０ｄのそれぞれに対応させた“ＯＫ”または“ＮＧ”の判定結果の他、さらにリモコン信号の受信状態に係わる情報を表示させることができる。例えば、表示装置１を設置した以降の通常動作状態において、極端に受信状態が悪化した場合の警告表示を行うことができる。この場合、ＣＰＵ１０では、受信状態の判定結果をメモリに蓄積し、過去の受信状態と現在の受信状態との比較を行って、例えば、受信状態が所定条件下で悪化したものと判定したときに、警告表示のＯＳＤを生成して表示させる制御を行う。
【００４７】
さらに、複数の受光部２０ａ〜２０ｄのうち、現在どの受光部が選択されているかを表示させるようにしてもよい。例えば図３に示すようなケースで第４受光部が選択されている場合に、その旨をＯＳＤにより表示させることができる。
また、リモコン信号が送信されていないリモコン待機時には、各受光部２０ａ〜２０ｄの受信状態を表示し、リモコン信号を受信した時には、各受光部２０ａ〜２０ｄによる受信信号のデコード結果がＯＫであるかＮＧであるのかを表示するようにしてもよい。
【００４８】
図５は、本発明による表示装置における処理の一例を説明するためのフローチャートである。まず表示装置では、モード選択により設置モードに入ると（ステップＳ１）、リモコン妨害モニターモードを選択し、受信状態を表示させる（ステップＳ２）。この状態は、リモコン送信機から送信していない状態（スタンバイ状態）である。またリモコン妨害モニターモードとは、設置モードにおいて受光部における受信状態をモニター表示するモードである。
【００４９】
そして、ユーザは、受信状態の表示を見ながら表示装置本体を、妨害を受けにくい最適な場所に設置する（ステップＳ３）。ここで、全ての受光部２０ａ〜２０ｄの受信状態が良好かどうかを判別し（ステップＳ４）、良好でなければ、どのように設置しても受信状態が良好にならない受光部経路の読み込みを停止させる（ステップＳ１２）。受光部経路の読み込みの停止とは、その受光部からの出力信号をＣＰＵ１０で読み取らずに使用しないことを指す。
【００５０】
また、このときの処理は、設置モード時に受信状態が良好にならない受光部をＣＰＵ１０が自動判別して、その受光経路の読み込みを自動的に停止する制御を行うものであるが、受信状態の表示をユーザが見ながら、受信状態が良好にならない受光部経路の読み込みを停止するようユーザ操作を行うようにしてもよい。
【００５１】
ステップＳ４で全ての受光部の受信状態が良好であれば、受信状態の定量化を行う（ステップＳ５）。受信状態は、上記のように受光部の出力信号のパルス数をカウントしたり、波形整形を行ってそのＬｏｗ／Ｈｉｇｈを判別したりすることによって定量化することができる。また、上記ステップＳ１２で良好にならない受光経路の読み込みを停止した後にもステップＳ５の処理を行う。そして、受信状態に応じて受光部の優先順位付けを行う（ステップＳ６）。受信状態に応じた優先順位付けは、各受光部の受信状態を蓄積した蓄積情報から、受信状態を判断することで行うことができる。例えば図３に示したように、受信状態の蓄積情報に基づく複数段階の優先順位付けを実行することができる。
【００５２】
以上の処理が設置モード時の処理になる。この後、通常モードに移行し、リモコンからのリモコン信号を受光すると（ステップＳ７）、各受光部のデコードの正確性を定量化する（ステップＳ８）。ここでは、例えば、リモコン信号が正しくデコードできる確率等を定量化する。そしてデコードの正確性に応じた受光部の優先順位付けを行う（ステップＳ９）。例えば図３に示したように、リモコン信号を正しくデコードできている確率に基づく複数段階の優先順位付けを実行することができる。
【００５３】
そして、デコードの正確性、及び受信状態よりどの受光部を選択するかを判定し（ステップＳ１０）、採用する受光部を決定する（ステップＳ１１）。受光部を決定することは、複数の受光部のうち、特定の受光部とその受光部からのデコード経路を選択することであり、特定の受光部からの出力信号をデコードしたデコード信号が、制御に使用される信号として選択されることになる。
【００５４】
図６は、本発明の表示装置を実施したテレビの構成例を示すブロック図である。本発明の表示装置は、リモコンにより操作可能なテレビに適用でき、特に近年大画面化が進むテレビに好適に適用できる。この場合、テレビは、リモコン信号を受信するための複数の受光部を備え、上述したごとくの設置モード時の受信状態の表示処理により、ユーザが簡易に最適な設置位置を設定できるようにしている。
【００５５】
図６の例のテレビ１００は、デジタル放送とアナログ放送とのいずれも受信可能な装置であって、アナログ放送を受信する受信アンテナ１０１と、デジタル放送を受信する受信アンテナ１０２とが接続される。また、アナログ放送の受信信号を選局するアナログチューナー部１０３と、デジタル放送の受信信号を選局するデジタルチューナー部１０４と、アナログ放送の受信データからオーディオデータ／ビデオデータを抽出するＡＶ分離部１０５と、選局されたデジタル放送のデータを復調するデジタル復調部１０６とを備える。
【００５６】
さらにテレビ１００は、ＥＰＧ（Electronic Program Guide）データの抽出や復調されたデータの分離を行う分離部（ＤＭＵＸ）１０７と、分離されたデジタル放送のビデオデータをデコードしたりビデオ情報を静止画としてキャプチャするビデオデコード／キャプチャ部１０８と、アナログ放送のビデオ信号とデジタル放送のビデオ信号との切換を行うビデオセレクタ部１０９と、分離されたＥＰＧの処理やＯＳＤの表示処理を行うと共に、ＥＰＧと予約情報とをミックスさせて表示する処理を行うＥＰＧ／ＯＳＤ／予約データ処理部１１０とを備える。
【００５７】
さらにテレビ１００は、分離されたオーディオデータをデコードするオーディオデコード部１１１と、セレクトされたビデオ信号とＥＰＧやＯＳＤとを合わせてからビデオ出力として変換するビデオ出力変換部１１２と、ビデオ出力に従って映像表示を行う液晶表示装置１１７と、アナログ放送のオーディオ信号とデジタル放送のオーディオ信号の切換を行うオーディオセレクタ部１１３と、セレクトされたオーディオ信号を出力信号に変換するオーディオ出力変換部１１４と、オーディオ出力信号を音声出力するスピーカ１１８と、アナログ放送およびデジタル放送のチューナーでの選局処理を行う選局部１１５とを備える。
【００５８】
また、テレビ１００は、任意のアドレスを指定して読み書きすることが可能な半導体メモリであるＲＡＭ１１６と、全体の処理を担うと共に、リモコンからの操作信号の処理などを行うＣＰＵ１０とを備える。
さらに、テレビ１００は、プログラムやユーザデータ、ＥＰＧの表示フォーマットデータ等が格納される書換え可能な不揮発性メモリ１２０と、電話回線、ＬＡＮ、インターネット等のネットワーク網との制御を行うと共に、ＥＰＧデータの取得等に使用される通信制御部１２１と、ユーザが操作するリモコン１１９からの赤外線信号を受信する受光部２０（図１の構成の受光部２０ａ〜２０ｄに相当）とを備える。
【００５９】
本発明に係る実施形態では、受光部２０として複数個の受光部が設けられ、それぞれの受光部から出力された信号はＣＰＵ１０に入力し、それぞれの出力信号をＣＰＵ１０の内部のデコーダによりデコードできる構成になっている。またＣＰＵ１０では、複数個の受光部から出力される信号の受信状態を監視し、受信状態をメモリしたり、受光部選択への重み付け処理を行ったりする制御を行う。
【００６０】
このような構成により、テレビ１００を部屋などに設置する際に、テレビ１００は、その受光部２０に対して蛍光灯などの外来ノイズが侵入しているかどうかを監視し、画面上に表示させることができる。つまりテレビ１００では、リモコン１１９からリモコン信号が送信されていない待ち受けの状態で、受光部２０の出力をＣＰＵ１０によりリアルタイムで監視し、その状態を液晶表示装置１１７の画面上に表示させる。これによって、テレビ１００を設置しようとするユーザは、リモコン信号の受信状態をモニターしながらテレビ１００の設置を行うことができ、最適な設置場所や設置条件を容易に選択することができる。
【００６１】
また、テレビ１００の設置後には、デコードの正確性に加えて、受光部ごとの受信状態を加味することで、最適な受光部を選択することができるようになる。
【図面の簡単な説明】
【００６２】
【図１】本発明による表示装置の一実施形態を説明するためのブロック図である。
【図２】受信部からの出力信号の波形例と、波形整形による妨害の有無の判定処理とを説明するための図である。
【図３】受光部の選択処理に適用する優先順位の設定例を説明するための図である。
【図４】４個の受光部（第１〜第４受光部）を有する表示装置の画面表示例を示す図である。
【図５】本発明による表示装置における処理の一例を説明するためのフローチャートである。
【図６】本発明の表示装置を実施したテレビの構成例を示すブロック図である。
【符号の説明】
【００６３】
１…表示装置、１０…ＣＰＵ、１１ａ，１１ｂ，１１ｃ，１１ｄ…デコーダ、１２…デコーダ選択部、２０…受光部、２０ａ，２０ｂ，２０ｃ，２０ｄ…受光部、３０…表示画面、３１ａ…判定結果表示、１００…テレビ、１０１…受信アンテナ、１０２…受信アンテナ、１０３…アナログチューナー部、１０４…デジタルチューナー部、１０５…ＡＶ分離部、１０６…デジタル復調部、１０８…キャプチャ部、１０９…ビデオセレクタ部、１１０…予約データ処理部、１１１…オーディオデコード部、１１２…ビデオ出力変換部、１１３…オーディオセレクタ部、１１４…オーディオ出力変換部、１１５…選局部、１１６…ＲＡＭ、１１７…液晶表示装置、１１８…スピーカ、１１９…リモコン、１２０…不揮発性メモリ、１２１…通信制御部。
【図１】
2010021616.tif 000003
【図２】
2010021616.tif 000004
【図３】
2010021616.tif 000005
【図４】
2010021616.tif 000006
【図５】
2010021616.tif 000007
【図６】
2010021616.tif 000008